(57)【特許請求の範囲】
【請求項１】
複数のセルを有する無線通信システムにおいて、位置登録を行うセルである登録セルの選択を行う無線端末であって、
前記位置登録を既に行っているセルである在圏セルから受信する信号の受信品質である在圏セル受信品質と、前記在圏セルの周辺に設けられたセルである周辺セルから受信する信号の受信品質である周辺セル受信品質とを測定する測定部と、
前記在圏セルから受信する信号の周波数の偏移量である在圏セル偏移量と、前記周辺セルから受信する信号の周波数の偏移量である周辺セル偏移量とを取得する取得部と、
前記無線端末が移動する速度である移動速度を検出する検出部と、
前記在圏セル受信品質、前記周辺セル受信品質、前記在圏セル偏移量、前記周辺セル偏移量及び前記移動速度に基づいて、前記登録セルの選択を行うセル選択部とを備え、
前記セル選択部は、前記在圏セル受信品質、前記周辺セル受信品質及び前記移動速度に基づいて、前記登録セルの選択を行う選択条件が満たされているか否かを判定する判定部を有しており、
前記判定部は、前記移動速度が所定移動速度よりも高い場合に、前記選択条件が満たされるタイミングを早めることを特徴とする無線端末。
【請求項２】
前記在圏セル受信品質から前記周辺セル受信品質を除いた値である受信品質差分が所定受信品質差よりも小さいか否かを判定する開始条件判定部と、
前記受信品質差分が所定受信品質差内である継続期間が所定継続期間よりも長いか否かを判定する継続条件判定部と、
前記移動速度が所定移動速度よりも高い場合に、前記所定継続期間を短縮する継続条件変更部とをさらに備え、
前記判定部は、前記継続期間が所定継続期間よりも長いと判定された場合に、前記選択条件が満たされたと判定することを特徴とする請求項１に記載の無線端末。
【請求項３】
前記在圏セル受信品質から前記周辺セル受信品質を除いた値である受信品質差分が所定受信品質差よりも小さいか否かを判定する開始条件判定部と、
前記受信品質差分が所定受信品質差内である継続期間が所定継続期間よりも長いか否かを判定する継続条件判定部と、
前記移動速度が所定移動速度よりも高い場合に、前記所定受信品質差を拡大する開始条件変更部とをさらに備え、
前記判定部は、前記継続期間が所定継続期間よりも長いと判定された場合に、前記選択条件が満たされたと判定することを特徴とする請求項１に記載の無線端末。
【請求項４】
前記在圏セル受信品質から前記周辺セル受信品質を除いた値である受信品質差分が所定受信品質差よりも小さいか否かを判定する開始条件判定部と、
前記受信品質差分が所定受信品質差内である継続期間が所定継続期間よりも長いか否かを判定する継続条件判定部と、
前記移動速度が所定移動速度よりも高い場合で、且つ、前記周波数の偏移量が正の値である場合に、前記所定継続期間を短縮する継続条件変更部とをさらに備え、
前記判定部は、前記継続期間が所定継続期間よりも長いと判定された場合に、前記選択条件が満たされたと判定することを特徴とする請求項１に記載の無線端末。
【請求項５】
前記在圏セル受信品質から前記周辺セル受信品質を除いた値である受信品質差分が所定受信品質差よりも小さいか否かを判定する開始条件判定部と、
前記受信品質差分が所定受信品質差内である継続期間が所定継続期間よりも長いか否かを判定する継続条件判定部と、
前記移動速度が所定移動速度よりも高い場合で、且つ、前記周波数の偏移量が正の値である場合に、前記所定受信品質差を拡大する開始条件変更部とをさらに備え、
前記判定部は、前記継続期間が所定継続期間よりも長いと判定された場合に、前記選択条件が満たされたと判定することを特徴とする請求項１に記載の無線端末。
【請求項６】
前記在圏セル受信品質から前記周辺セル受信品質を除いた値である受信品質差分が所定受信品質差よりも小さいか否かを判定する開始条件判定部と、
前記受信品質差分が所定受信品質差内である継続期間が所定継続期間よりも長いか否かを判定する継続条件判定部と、
前記移動速度が所定移動速度よりも高い場合で、且つ、前記周波数の偏移量が負の値である場合に、前記所定継続期間を延長する継続条件変更部とをさらに備え、
前記判定部は、前記継続期間が所定継続期間よりも長いと判定された場合に、前記選択条件が満たされたと判定することを特徴とする請求項１に記載の無線端末。
【請求項７】
前記在圏セル受信品質から前記周辺セル受信品質を除いた値である受信品質差分が所定受信品質差よりも小さいか否かを判定する開始条件判定部と、
前記受信品質差分が所定受信品質差内である継続期間が所定継続期間よりも長いか否かを判定する継続条件判定部と、
前記移動速度が所定移動速度よりも高い場合で、且つ、前記周波数の偏移量が負の値である場合に、前記所定受信品質差を縮小する開始条件変更部とをさらに備え、
前記判定部は、前記継続期間が所定継続期間よりも長いと判定された場合に、前記選択条件が満たされたと判定することを特徴とする請求項１に記載の無線端末。
【請求項８】
前記セル選択部は、前記移動速度が所定移動速度よりも高い場合に第１選択処理を行い、前記移動速度が前記所定移動速度よりも低い場合に第２選択処理を行い、
前記第１選択処理は、前記周波数の偏移量が所定偏移量よりも高いセルの中から、前記受信品質に基づいて前記登録セルを選択する処理であり、
前記第２選択処理は、前記周波数の偏移量を考慮せずに、前記受信品質に基づいて前記登録セルを選択する処理であることを特徴とする請求項１に記載の無線端末。
【請求項９】
前記第１選択処理は、前記周波数の偏移量が一定期間に亘って前記所定偏移量よりも高いセルの中から、前記受信品質に基づいて前記登録セルを選択する処理であることを特徴とする請求項８に記載の無線端末。
【請求項１０】
複数のセルを有する無線通信システムにおいて、無線端末が位置登録を行うセルである登録セルの選択を行うセル選択方法であって、
前記位置登録を既に行っているセルである在圏セルから前記無線端末が受信する信号の受信品質である在圏セル受信品質と、前記在圏セルの周辺に設けられたセルである周辺セルから前記無線端末が受信する信号の受信品質である周辺セル受信品質とを測定するステップＡと、
前記在圏セルから前記無線端末が受信する信号の周波数の偏移量である在圏セル偏移量と、前記周辺セルから前記無線端末が受信する信号の周波数の偏移量である周辺セル偏移量とを取得するステップＢと、
前記無線端末が移動する速度である移動速度を検出するステップＣと、
前記在圏セル受信品質、前記周辺セル受信品質、前記在圏セル偏移量、前記周辺セル偏移量及び前記移動速度に基づいて、前記登録セルの選択を行うステップＤとを含み、
前記ステップＤでは、前記在圏セル受信品質、前記周辺セル受信品質及び前記移動速度に基づいて、前記登録セルの選択を行う選択条件が満たされているか否かを判定するステップを含み、
前記判定するステップでは、前記移動速度が所定移動速度よりも高い場合に、前記選択条件が満たされるタイミングを早めることを特徴とするセル選択方法。
【発明の詳細な説明】
【技術分野】
【０００１】
本発明は、複数のセルを有する無線通信システムにおいて、位置登録を行うセルである登録セルの選択を行う無線端末及びセル選択方法に関する。
【背景技術】
【０００２】
従来、無線基地局（セル）から受信する信号の受信品質（無線区間の無線品質）を無線端末が測定し、無線端末が位置登録を行うセル（以下、登録セル）を無線品質に応じて選択する技術が知られている。
【０００３】
具体的には、無線通信システムでは、無線基地局が単数又は複数のセルを管理している。無線端末は、複数のセルのうち、いずれかのセルに位置登録を行う。無線端末が既に位置登録を行っているセルを在圏セルと称する。在圏セルの周辺に設けられたセルを周辺セルと称する。無線端末は、在圏セル及び周辺セルから受信する信号の受信品質を比較して、複数のセルの中から、登録セルとして適切なセルを選択する。
【０００４】
ところで、単に、受信品質によって登録セルを選択すると、無線端末の進行方向とは逆側に設けられたセルが登録セルとして選択されるケースが想定される。このようなケースでは、新たに登録セルとして選択されたセルから受信する信号の受信品質はすぐに劣化する。従って、登録セルの再選択が頻繁に生じる可能性がある。
【０００５】
これに対して、受信品質に加えて、周波数の偏移量（ドップラ周波数）によって、登録セルを選択する技術が提案されている（例えば、特許文献１）。具体的には、無線端末の進行方向に設けられたセルから無線端末が受信する信号の周波数は、無線端末の移動に伴って高くなる。一方で、無線端末の進行方向とは逆側に設けられたセルから無線端末が受信する信号の周波数は、無線端末の移動に伴って低くなる。従って、登録セルの選択では、周波数の偏移量が所定閾値よりも高いセルのうち、受信品質が最も良好なセルが選択される。
【特許文献１】特開２００２−２０４１８２号公報
【発明の開示】
【発明が解決しようとする課題】
【０００６】
ところで、一般的には、登録セルの選択が頻繁に生じることを抑制するために、予め定められた期間に亘って登録セルを選択する条件が満たされている場合に、登録セルの選択が行われる。
【０００７】
ここで、予め定められた期間は、無線端末の移動速度とは無関係に一定の長さである。一方で、無線端末が高速で移動しているケースでは、登録セルの選択が行われるタイミングにおいて受信品質が最も良好なセルが頻繁に変動する。従って、受信品質が最も良好なセルの変動に、登録セルの選択を行うタイミングが追従できずに、最適なセルが登録セルとして選択されないケースが考えられる。
【０００８】
一方で、無線端末が低速で移動しているケースでは、周波数の偏移量が所定閾値よりも低いセルであっても、登録セルの選択を行うタイミングにおいて受信品質が最も良好なセルが登録セルとして選択されることが好ましい。すなわち、「周波数の偏移量が所定閾値よりも高い」という条件が却って最適なセルの選択を阻害する。
【０００９】
そこで、本発明は、上述した課題を解決するためになされたものであり、登録セルとして最適なセルを選択することを可能とする無線端末及びセル選択方法を提供することを目的とする。
【課題を解決するための手段】
【００１０】
第１の特徴に係る無線端末は、複数のセルを有する無線通信システムにおいて、位置登録を行うセルである登録セルの選択を行う。無線端末は、前記位置登録を既に行っているセルである在圏セルから受信する信号の受信品質である在圏セル受信品質と、前記在圏セルの周辺に設けられたセルである周辺セルから受信する信号の受信品質である周辺セル受信品質とを測定する測定部（受信品質測定部１２）と、前記在圏セルから受信する信号の周波数の偏移量である在圏セル偏移量と、前記周辺セルから受信する信号の周波数の偏移量である周辺セル偏移量とを取得する取得部（周波数偏移量取得部１３）と、前記無線端末が移動する速度である移動速度を検出する検出部（移動速度検出部１４）と、前記在圏セル受信品質、前記周辺セル受信品質、前記在圏セル偏移量、前記周辺セル偏移量及び前記移動速度に基づいて、前記登録セルの選択を行うセル選択部（セル選択部１５４）とを備える。
【００１１】
かかる特徴によれば、無線端末は、受信品質及び周波数の偏移量に加えて、移動速度に基づいて登録セルの選択を行う。従って、無線端末が高速で移動しているケースについては、受信品質が最も良好なセルの変動に、登録セルの選択を行うタイミングを追従させることができる。一方で、無線端末が低速で移動しているケースについては、周波数の偏移量が所定閾値よりも低いセルであっても、登録セルの選択を行うタイミングにおいて受信品質が良好なセルを登録セルとして選択することができる。すなわち、登録セルとして最適なセルを選択することができる。
【００１２】
第１の特徴において、前記セル選択部は、前記在圏セル受信品質、前記周辺セル受信品質及び前記移動速度に基づいて、前記登録セルの選択を行う選択条件が満たされているか否かを判定する判定部（判定部１５５）を有する。前記判定部は、前記移動速度が所定移動速度よりも高い場合に、前記選択条件が満たされるタイミングを早める。
【００１３】
第１の特徴において、無線端末は、前記在圏セル受信品質から前記周辺セル受信品質を除いた値である受信品質差分が所定受信品質差よりも小さいか否かを判定する開始条件判定部（開始条件判定部１５１）と、前記受信品質差分が所定受信品質差内である継続期間が所定継続期間よりも長いか否かを判定する継続条件判定部（継続条件判定部１５２）と、前記移動速度が所定移動速度よりも高い場合に、前記所定継続期間を短縮する継続条件変更部（条件変更部１５３）とをさらに備える。前記判定部は、前記継続期間が所定継続期間よりも長いと判定された場合に、前記選択条件が満たされたと判定する。
【００１４】
第１の特徴において、無線端末は、前記在圏セル受信品質から前記周辺セル受信品質を除いた値である受信品質差分が所定受信品質差よりも小さいか否かを判定する開始条件判定部（開始条件判定部１５１）と、前記受信品質差分が所定受信品質差内である継続期間が所定継続期間よりも長いか否かを判定する継続条件判定部（継続条件判定部１５２）と、前記移動速度が所定移動速度よりも高い場合に、前記所定受信品質差を拡大する開始条件変更部（条件変更部１５３）とをさらに備える。前記判定部は、前記継続期間が所定継続期間よりも長いと判定された場合に、前記選択条件が満たされたと判定する。
【００１５】
第１の特徴において、無線端末は、前記在圏セル受信品質から前記周辺セル受信品質を除いた値である受信品質差分が所定受信品質差よりも小さいか否かを判定する開始条件判定部と、前記受信品質差分が所定受信品質差内である継続期間が所定継続期間よりも長いか否かを判定する継続条件判定部と、前記移動速度が所定移動速度よりも高い場合で、且つ、前記周波数の偏移量が正の値である場合に、前記所定継続期間を短縮する継続条件変更部とをさらに備える。前記判定部は、前記継続期間が所定継続期間よりも長いと判定された場合に、前記選択条件が満たされたと判定する。
【００１６】
第１の特徴において、無線端末は、前記在圏セル受信品質から前記周辺セル受信品質を除いた値である受信品質差分が所定受信品質差よりも小さいか否かを判定する開始条件判定部と、前記受信品質差分が所定受信品質差内である継続期間が所定継続期間よりも長いか否かを判定する継続条件判定部と、前記移動速度が所定移動速度よりも高い場合で、且つ、前記周波数の偏移量が正の値である場合に、前記所定受信品質差を拡大する開始条件変更部とをさらに備える。前記判定部は、前記継続期間が所定継続期間よりも長いと判定された場合に、前記選択条件が満たされたと判定する。
【００１７】
第１の特徴において、無線端末は、前記在圏セル受信品質から前記周辺セル受信品質を除いた値である受信品質差分が所定受信品質差よりも小さいか否かを判定する開始条件判定部と、前記受信品質差分が所定受信品質差内である継続期間が所定継続期間よりも長いか否かを判定する継続条件判定部と、前記移動速度が所定移動速度よりも高い場合で、且つ、前記周波数の偏移量が負の値である場合に、前記所定継続期間を延長する継続条件変更部とをさらに備える。前記判定部は、前記継続期間が所定継続期間よりも長いと判定された場合に、前記選択条件が満たされたと判定する。
【００１８】
第１の特徴において、無線端末は、前記在圏セル受信品質から前記周辺セル受信品質を除いた値である受信品質差分が所定受信品質差よりも小さいか否かを判定する開始条件判定部と、前記受信品質差分が所定受信品質差内である継続期間が所定継続期間よりも長いか否かを判定する継続条件判定部と、前記移動速度が所定移動速度よりも高い場合で、且つ、前記周波数の偏移量が負の値である場合に、前記所定受信品質差を縮小する開始条件変更部とをさらに備える。前記判定部は、前記継続期間が所定継続期間よりも長いと判定された場合に、前記選択条件が満たされたと判定する。
【００１９】
第１の特徴において、前記セル選択部は、前記移動速度が所定移動速度よりも高い場合に第１選択処理を行い、前記移動速度が前記所定移動速度よりも低い場合に第２選択処理を行う。前記第１選択処理は、前記周波数の偏移量が所定偏移量よりも高いセルの中から、前記受信品質に基づいて前記登録セルを選択する処理である。前記第２選択処理は、前記周波数の偏移量を考慮せずに、前記受信品質に基づいて前記登録セルを選択する処理である。
【００２０】
第１の特徴において、前記第１選択処理は、前記周波数の偏移量が一定期間に亘って前記所定偏移量よりも高いセルの中から、前記受信品質に基づいて前記登録セルを選択する処理である。
【００２１】
第２の特徴に係るセル選択方法では、複数のセルを有する無線通信システムにおいて、無線端末が位置登録を行うセルである登録セルの選択を行う。セル選択方法は、前記位置登録を既に行っているセルである在圏セルから前記無線端末が受信する信号の受信品質である在圏セル受信品質と、前記在圏セルの周辺に設けられたセルである周辺セルから前記無線端末が受信する信号の受信品質である周辺セル受信品質とを測定するステップＡと、前記在圏セルから前記無線端末が受信する信号の周波数の偏移量である在圏セル偏移量と、前記周辺セルから前記無線端末が受信する信号の周波数の偏移量である周辺セル偏移量とを取得するステップＢと、前記無線端末が移動する速度である移動速度を検出するステップＣと、前記在圏セル受信品質、前記周辺セル受信品質、前記在圏セル偏移量、前記周辺セル偏移量及び前記移動速度に基づいて、前記登録セルの選択を行うステップＤとを含む。
【発明の効果】
【００２２】
本発明によれば、在圏セルとして最適なセルを選択することを可能とする無線端末及びセル選択方法を提供することができる。
【発明を実施するための最良の形態】
【００２３】
以下において、本発明の実施形態に係る無線通信システムについて、図面を参照しながら説明する。なお、以下の図面の記載において、同一又は類似の部分には、同一又は類似の符号を付している。
【００２４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２５】
［第１実施形態］
（無線通信システムの構成）
以下において、第１実施形態に係る無線通信システムの構成について、図面を参照しながら説明する。図１は、第１実施形態に係る無線通信システムの構成を示す図である。
【００２６】
図１に示すように、無線通信システムは、無線端末１０と、複数の無線基地局２０（無線基地局２０ａ〜無線基地局２０ｄ）を有する。
【００２７】
無線端末１０は、携帯電話やＰＤＡなどの端末であり、無線基地局２０と無線通信を行う機能を有する。無線端末１０は、ネットワーク側に対して、自端末の位置登録を行って、無線基地局２０と無線通信を行う。
【００２８】
無線基地局２０は、単数のセル又は複数のセルによって構成されるエリア２１を管理する。エリア２１は、無線基地局２０から送信される電波が到達する範囲である。
【００２９】
例えば、無線基地局２０ａは、エリア２１ａを管理しており、無線基地局２０ｂは、エリア２１ｂを管理している。無線基地局２０ｃは、エリア２１ｃを管理しており、無線基地局２０ｄは、エリア２１ｄを管理している。
【００３０】
なお、「セル」は、基本的に、無線端末１０が在圏するエリアを示す用語として用いることに留意すべきである。また、「セル」は、無線端末１０と通信を行う機能として用いる場合もあることに留意すべきである。
【００３１】
以下において、無線端末１０が位置登録を行うセルを登録セルと称する。無線端末１０が既に位置登録を行っているセルを在圏セルと称する。在圏セルの周辺に設けられたセルを周辺セルと称する。
【００３２】
第１実施形態では、無線端末１０が地点Ａから地点Ｂに向けて移動する場合に、登録セルの選択が行われるケースについて想定していることに留意すべきである。
【００３３】
（無線端末の構成）
以下において、第１実施形態に係る無線端末の構成について、図面を参照しながら説明する。図２は、第１実施形態に係る無線端末１０の構成を示すブロック図である。
【００３４】
図２に示すように、無線端末１０は、受信部１１と、受信品質測定部１２と、周波数偏移量取得部１３と、移動速度検出部１４と、制御部１５と、送信部１６とを有する。
【００３５】
受信部１１は、無線基地局２０ｄから各種信号を受信する。各種信号は、例えば、パイロット信号などの制御信号やデータ信号などである。具体的には、受信部１１は、在圏セルから信号を受信する。また、受信部１１は、周辺セルから信号を受信する。
【００３６】
受信品質測定部１２は、在圏セルから受信した信号の受信品質（以下、在圏セル受信品質）を測定する。また、受信品質測定部１２は、周辺セルから受信した信号の受信品質（以下、周辺セル受信品質）を測定する。
【００３７】
受信品質は、例えば、ＳＩＲ（Ｓｉｇｎａｌ  ｔｏ  Ｉｎｔｅｒｆｅｒｅｎｃｅ  Ｒａｔｉｏ）、ＳＮＲ（Ｓｉｇｎａｌ  ｔｏ  Ｎｏｉｓｅ  Ｒａｔｉｏ）、ＳＩＮＲ（Ｓｉｇｎａｌ  ｔｏ  Ｉｎｔｅｒｆｅｒｅｎｃｅ  Ｎｏｉｓｅ  Ｒａｔｉｏ）などである。
【００３８】
周波数偏移量取得部１３は、在圏セルから受信した信号の周波数の偏移量（以下、在圏セル偏移量）を取得する。また、受信品質測定部１２は、周辺セルから受信した信号の周波数の偏移量（以下、周辺セル偏移量）を取得する。
【００３９】
ここで、無線端末１０の進行方向に設けられたセルから受信する信号の周波数の偏移量は、無線端末１０の移動に伴って高くなることに留意すべきである。一方で、無線端末１０の進行方向とは逆側に設けられたセルから受信する信号の周波数の偏移量は、無線端末１０の移動に伴って低くなることに留意すべきである。
【００４０】
移動速度検出部１４は、無線端末１０が移動する速度である移動速度を検出する。移動速度検出部１４は、例えば、速度センサや加速度センサを用いて、移動速度を検出する。
【００４１】
制御部１５は、無線端末１０を統括的に制御する。以下においては、第１実施形態の説明で必要な構成について主として説明する。具体的には、制御部１５は、登録セルの選択を行う機能を有する。
【００４２】
制御部１５は、図３に示すように、開始条件判定部１５１と、継続条件判定部１５２と、条件変更部１５３と、セル選択部１５４とを有する。
【００４３】
開始条件判定部１５１は、在圏セル受信品質から周辺セル受信品質を除いた値である受信品質差分が所定受信品質差よりも小さいか否かを判定する。ここで、所定受信品質差は、登録セルとして選択されるセルが満たすべき最低受信品質を規定する閾値（Ｔｉｍｅ  ｔｏ  Ｔｒｉｇｇｅｒ起動閾値）である。
【００４４】
継続条件判定部１５２は、受信品質差分が所定受信品質差内である継続期間が所定継続期間よりも長いか否かを判定する。所定継続期間は、最低受信品質が満たされた状態が継続すべき期間を規定する閾値（Ｔｉｍｅ  ｔｏ  Ｔｒｉｇｇｅｒ）である。
【００４５】
条件変更部１５３は、移動速度が所定移動速度よりも高い場合に、所定継続期間（閾値）を短縮する。条件変更部１５３は、移動速度が所定移動速度よりも高い場合に、所定受信品質差（閾値）を拡大する。
【００４６】
セル選択部１５４は、在圏セル受信品質、周辺セル受信品質、在圏セル偏移量、周辺セル偏移量及び移動速度に基づいて、登録セルの選択を行う。具体的には、セル選択部１５４は、在圏セル受信品質、周辺セル受信品質及び移動速度に基づいて、登録セルの選択を行う選択条件が満たされているか否かを判定する判定部１５５を有する。ここで、選択条件は、受信品質差分が所定受信品質差内である継続期間が所定継続期間よりも長いことである。すなわち、判定部１５５は、継続期間が所定継続期間よりも長いと判定された場合に、登録セルの選択を行う選択条件が満たされたと判定する。
【００４７】
上述したように、受信品質差分は、在圏セル受信品質から周辺セル受信品質を除いた値である。また、所定受信品質差（閾値）及び所定継続期間（閾値）は、無線端末１０の移動速度によって変更される。
【００４８】
すなわち、判定部１５５は、在圏セル受信品質、周辺セル受信品質及び移動速度に基づいて、選択条件が満たされているか否かを判定することに留意すべきである。
【００４９】
さらに具体的には、セル選択部１５４は、移動速度が所定移動速度よりも高い場合に第１選択処理を行い、移動速度が所定移動速度よりも低い場合に第２選択処理を行う。
【００５０】
第１選択処理は、周波数の偏移量が所定偏移量（閾値）よりも高いセルの中から、選択条件が満たされたセルを選択する処理である。第１選択処理では、周波数の偏移量が一定期間に亘って所定偏移量よりも高いセルの中から、選択条件が満たされたセルを選択することが好ましい。第２選択処理は、周波数の偏移量を考慮せずに、選択条件が満たされたセルを選択する処理である。
【００５１】
セル選択部１５４は、第１選択処理又は第２選択処理によって選択されたセルを識別するセル識別子を含む測定結果（Ｍｅａｓｕｒｅｍｅｎｔ  Ｒｅｐｏｒｔ）を生成する。測定結果は、セル識別子に加えて、セル識別子に対応する受信品質を含むことが好ましい。
【００５２】
送信部１６は、無線基地局２０ｄに各種信号を送信する。各種信号は、例えば、制御信号やデータ信号などである。具体的には、送信部１６は、在圏セルに信号を送信する。また、送信部１６は、周辺セルに信号を送信する。
【００５３】
例えば、送信部１６は、在圏セル（又は、周辺セル）を介して、セル選択部１５４によって生成された測定結果をネットワーク側に送信する。
【００５４】
（無線端末の動作）
以下において、第１実施形態に係る無線端末の動作について、図面を参照しながら説明する。図４〜図６は、第１実施形態に係る無線端末１０の動作を示すフロー図である。
【００５５】
図４に示すように、ステップ１０において、無線端末１０は、無線端末１０が移動する速度である移動速度が所定移動速度（閾値）よりも高いか否かを判定する。無線端末１０は、移動速度が所定移動速度よりも高い場合には、ステップ１１の処理に移る。一方で、無線端末１０は、移動速度が所定移動速度よりも高くない場合には、ステップ１４の処理に移る。
【００５６】
ステップ１１において、無線端末１０は、在圏セル偏移量及び周辺セル偏移量に基づいて、在圏セル及び周辺セルのうち、周波数の偏移量が所定偏移量（閾値）よりも高いセルがあるか否かを判定する。無線端末１０は、周波数の偏移量が所定偏移量（閾値）よりも高いセルを登録セルの候補セルとして管理する。
【００５７】
無線端末１０は、このようなセルがある場合には、ステップ１２の処理に移る。一方で、無線端末１０は、このようなセルがない場合には、ステップ１４の処理に移る。
【００５８】
ステップ１２において、無線端末１０は、在圏セル偏移量及び周辺セル偏移量に基づいて、登録セルの候補セルのうち、周波数の偏移量が所定偏移量（閾値）よりも高い状態が一定期間に亘って継続するセルがあるか否かを判定する。無線端末１０は、周波数の偏移量が所定偏移量（閾値）よりも高い状態が一定期間に亘って継続するセルを登録セルの候補セルとして管理する。すなわち、無線端末１０は、周波数の偏移量が所定偏移量（閾値）よりも高い状態が一定期間に亘って継続していないセルを登録セルの候補セルから除外する。
【００５９】
無線端末１０は、このようなセルがある場合には、ステップ１３の処理に移る。一方で、無線端末１０は、このようなセルがない場合には、ステップ１４の処理に移る。
【００６０】
ステップ１３において、無線端末１０は、所定受信品質（閾値）及び所定偏移量（閾値）を変更する。具体的には、無線端末１０は、所定継続期間（閾値）を短縮し、所定受信品質差（閾値）を拡大する。
【００６１】
ステップ１４において、無線端末１０は、選択条件が満たされているか否かを判定する選択処理（Ａ）を行う。選択処理（Ａ）の詳細については後述する（図５を参照）。
【００６２】
ステップ１５において、無線端末１０は、選択条件が満たされているか否かを判定する選択処理（Ｂ）を行う。選択処理（Ｂ）の詳細については後述する（図６を参照）。
【００６３】
選択処理（Ａ）及び選択処理（Ｂ）は、選択条件が満たされたセルを選択する処理である。すなわち、選択処理（Ａ）及び選択処理（Ｂ）は、受信品質差分が所定受信品質差内である継続期間が所定継続期間よりも長いセルを選択する処理である。
【００６４】
最初に、選択処理（Ａ）について、図５を参照しながら説明する。図５に示すように、ステップ２０において、無線端末１０は、在圏セル受信品質及び周辺セル受信品質に基づいて、在圏セル及び周辺セルのうち、受信品質差分が所定受信品質差内であるセルがあるか否かを判定する。無線端末１０は、受信品質差分が所定受信品質差内であるセルを登録セルの候補セルとして管理する。
【００６５】
無線端末１０は、このようなセルがある場合には、ステップ２１の処理に移る。一方で、無線端末１０は、このようなセルがない場合には、一連の処理を終了する。
【００６６】
ステップ２１において、無線端末１０は、登録セルの候補セルのうち、受信品質差分が所定受信品質差内である継続期間が所定継続期間よりも長いセルがあるか否かを判定する。無線端末１０は、継続期間が所定継続期間よりも長いセルを登録セルの候補セルとして管理する。すなわち、無線端末１０は、継続期間が所定継続期間よりも短いセルを登録セルの候補セルから除外する。
【００６７】
無線端末１０は、このようなセルがある場合には、ステップ２２の処理に移る。一方で、無線端末１０は、このようなセルがない場合には、一連の処理を終了する。
【００６８】
ステップ２２において、無線端末１０は、継続期間が所定継続期間よりも長いセル（すなわち、登録セルの候補セル）を識別するセル識別子を少なくとも含む測定結果（Ｍｅａｓｕｒｅｍｅｎｔ  Ｒｅｐｏｒｔ）をネットワーク側に送信する。
【００６９】
次に、選択処理（Ｂ）について、図６を参照しながら説明する。図６に示すように、ステップ３０において、無線端末１０は、在圏セル受信品質及び周辺セル受信品質に基づいて、登録セルの候補セルのうち、受信品質差分が所定受信品質差（拡大後）内であるセルがあるか否かを判定する。無線端末１０は、受信品質差分が所定受信品質差（拡大後）内であるセルを登録セルの候補セルとして管理する。すなわち、無線端末１０は、受信品質差分が所定受信品質差（拡大後）内でないセルを登録セルの候補セルから除外する。
【００７０】
無線端末１０は、このようなセルがある場合には、ステップ３１の処理に移る。一方で、無線端末１０は、このようなセルがない場合には、一連の処理を終了する。
【００７１】
ステップ３１において、無線端末１０は、登録セルの候補セルのうち、受信品質差分が所定受信品質差内である継続期間が所定継続期間（短縮後）よりも長いセルがあるか否かを判定する。無線端末１０は、継続期間が所定継続期間（短縮後）よりも長いセルを登録セルの候補セルとして管理する。すなわち、無線端末１０は、継続期間が所定継続期間（短縮後）よりも短いセルを登録セルの候補セルから除外する。
【００７２】
無線端末１０は、このようなセルがある場合には、ステップ２２の処理に移る。一方で、無線端末１０は、このようなセルがない場合には、一連の処理を終了する。
【００７３】
ステップ３２において、無線端末１０は、継続期間が所定継続期間（短縮後）よりも長いセル（すなわち、登録セルの候補セル）を識別するセル識別子を少なくとも含む測定結果（Ｍｅａｓｕｒｅｍｅｎｔ  Ｒｅｐｏｒｔ）をネットワーク側に送信する。
【００７４】
（選択条件が満たされるタイミング）
以下において、第１実施形態に係る選択条件が満たされるタイミングについて、図面を参照しながら説明する。図７は、第１実施形態に係る選択条件が満たされるタイミングについて説明するための図である。図７において、縦軸は、各セル（セルＡ及びセルＢ）から無線端末１０が受信する信号の受信品質を示しており、横軸は、時間を示している。
【００７５】
なお、選択条件とは、上述したように、選択条件は、受信品質差分が所定受信品質差内である継続期間が所定継続期間よりも長いことである。所定受信品質差（Ｔｉｍｅ  ｔｏ  Ｔｒｉｇｇｅｒ起動閾値）は、無線端末１０の移動速度が所定移動速度よりも高い場合に拡大される。所定継続期間（Ｔｉｍｅ  ｔｏ  Ｔｒｉｇｇｅｒ）は、無線端末１０の移動速度が所定移動速度よりも高い場合に短縮される。
【００７６】
図７では、以下の４ケースについて例を挙げて説明する。
【００７７】
（１）  所定受信品質差（Ｔｉｍｅ  ｔｏ  Ｔｒｉｇｇｅｒ起動閾値）が拡大しておらず、所定継続期間（Ｔｉｍｅ  ｔｏ  Ｔｒｉｇｇｅｒ）が短縮していないケース
（２）  所定受信品質差（Ｔｉｍｅ  ｔｏ  Ｔｒｉｇｇｅｒ起動閾値）が拡大しておらず、所定継続期間（Ｔｉｍｅ  ｔｏ  Ｔｒｉｇｇｅｒ）が短縮しているケース
（３）  所定受信品質差（Ｔｉｍｅ  ｔｏ  Ｔｒｉｇｇｅｒ起動閾値）が拡大しており、所定継続期間（Ｔｉｍｅ  ｔｏ  Ｔｒｉｇｇｅｒ）が短縮していないケース
（４）  所定受信品質差（Ｔｉｍｅ  ｔｏ  Ｔｒｉｇｇｅｒ起動閾値）が拡大しており、所定継続期間（Ｔｉｍｅ  ｔｏ  Ｔｒｉｇｇｅｒ）が短縮しているケース
図７に示すように、ケース（１）では、受信品質差分が所定受信品質差内である継続期間の起算タイミングは、時間ｔ２である。従って、所定継続期間の満了タイミングは、時間ｔ６である。このように、選択条件が満たされるタイミングは、時間ｔ６である。
【００７８】
ケース（２）では、ケース（１）と同様に、受信品質差分が所定受信品質差内である継続期間の起算タイミングは、時間ｔ２である。所定継続期間の満了タイミングは、所定継続期間が短縮されているため、時間ｔ４である。このように、選択条件が満たされるタイミングは、時間ｔ４である。
【００７９】
ケース（３）では、受信品質差分が所定受信品質差内である継続期間の起算タイミングは、所定受信品質差が拡大されているため、時間ｔ１である。所定継続期間の満了タイミングは、時間ｔ５である。このように、選択条件が満たされるタイミングは、時間ｔ５である。
【００８０】
ケース（４）では、ケース（３）と同様に、受信品質差分が所定受信品質差内である継続期間の起算タイミングは、所定受信品質差が拡大されているため、時間ｔ１である。所定継続期間の満了タイミングは、所定継続期間が短縮されているため、時間ｔ３である。このように、選択条件が満たされるタイミングは、時間ｔ３である。
【００８１】
ケース（２）〜ケース（４）では、ケース（１）に比べて、選択条件が満たされるタイミングが早まっている。すなわち、無線端末１０の移動速度が所定移動速度よりも高い場合には、無線端末１０の移動速度が所定移動速度よりも低い場合と比べて、選択条件が満たされるタイミングが早められる。
【００８２】
（作用及び効果）
第１実施形態によれば、無線端末１０は、受信品質及び周波数の偏移量に加えて、移動速度に基づいて登録セルの選択を行う。従って、無線端末１０が高速で移動しているケースについては、受信品質が良好なセルの変動に、登録セルの選択を行うタイミングを追従させることができる。一方で、無線端末１０が低速で移動しているケースについては、周波数の偏移量が所定閾値よりも低いセルであっても、登録セルの選択を行うタイミングにおいて受信品質が良好なセルを登録セルとして選択することができる。すなわち、登録セルとして最適なセルを選択することができる。
【００８３】
具体的には、無線端末１０は、移動速度が所定移動速度よりも高い場合に、選択条件が満たされるタイミングを早める。従って、受信品質が良好なセルの変動に、登録セルの選択を行うタイミングを追従させることができる。
【００８４】
無線端末１０は、移動速度が所定移動速度よりも低い場合に、周波数の偏移量を考慮せずに、受信品質に基づいて登録セルの選択を行う。従って、周波数の偏移量が所定閾値よりも低いセルであっても、登録セルの選択を行うタイミングにおいて受信品質が良好なセルを登録セルとして選択することができる。
【００８５】
［第２実施形態］
以下において、第２実施形態について図面を参照しながら説明する。以下においては、第１実施形態と第２実施形態との相違点について主として説明する。
【００８６】
具体的には、上述した第１実施形態では、無線端末１０は、移動速度が所定移動速度よりも高い場合に、所定受信品質差（Ｔｉｍｅ  ｔｏ  Ｔｒｉｇｇｅｒ起動閾値）を拡大し、所定継続期間（Ｔｉｍｅ  ｔｏ  Ｔｒｉｇｇｅｒ）を短縮する。
【００８７】
これに対して、第２実施形態では、無線端末１０は、移動速度だけではなくて、周波数の偏移量（在圏セル偏移量及び周辺セル偏移量）を考慮して、所定受信品質差及び所定継続期間を変更する。無線端末１０は、複数のセル（在圏セル及び周辺セル）毎に所定受信品質差及び所定継続期間を管理する。
【００８８】
（無線端末の動作）
以下において、第２実施形態に係る無線端末の動作について、図面を参照しながら説明する。図８は、第２実施形態に係る無線端末１０の動作を示すフロー図である。なお、図８は、上述したステップ１３（閾値の変更）の詳細を示すフロー図である。
【００８９】
図８に示すように、ステップ１３１において、無線端末１０は、登録セルの候補セルのいずれかである変更対象セルから受信する信号の周波数の偏移量が負の値であるか否かを判定する。無線端末１０は、周波数の偏移量が負の値である場合には、ステップ１３２の処理に移る。すなわち、無線端末１０は、変更対象セルから遠ざかっている場合には、ステップ１３２の処理に移る。一方で、無線端末１０は、周波数の偏移量が正の値である場合には、ステップ１３３の処理に移る。すなわち、無線端末１０は、変更対象セルに近づいている場合には、ステップ１３３の処理に移る。
【００９０】
ステップ１３２において、無線端末１０は、登録セルの候補セルのうち、変更対象セルよりも受信品質が良好なセルがあるか否かを判定する。無線端末１０は、変更対象セルよりも受信品質が良好なセルがある場合には、ステップ１３４の処理に移る。一方で、無線端末１０は、変更対象セルよりも受信品質が良好なセルがない場合には、ステップ１３３の処理に移る。
【００９１】
ステップ１３３において、無線端末１０は、変更対象セルについて、所定受信品質差（Ｔｉｍｅ  ｔｏ  Ｔｒｉｇｇｅｒ起動閾値）を拡大し、所定継続期間（Ｔｉｍｅ  ｔｏ  Ｔｒｉｇｇｅｒ）を短縮する。
【００９２】
ステップ１３４において、無線端末１０は、変更対象セルについて、所定受信品質差（Ｔｉｍｅ  ｔｏ  Ｔｒｉｇｇｅｒ起動閾値）を縮小し、所定継続期間（Ｔｉｍｅ  ｔｏ  Ｔｒｉｇｇｅｒ）を延長する。
【００９３】
なお、登録セルの候補セルの中から変更対象セルが順に選択されることによって、ステップ１３１〜ステップ１３４の処理は、登録セルの候補セルの全てについて行われる。
【００９４】
このように、無線端末１０は、移動速度が所定移動速度よりも高く、周波数の偏移量が正の値である場合には、所定受信品質差（Ｔｉｍｅ  ｔｏ  Ｔｒｉｇｇｅｒ起動閾値）を拡大し、所定継続期間（Ｔｉｍｅ  ｔｏ  Ｔｒｉｇｇｅｒ）を短縮する。すなわち、無線端末１０は、変更対象セルに高速で近づいている場合には、変更対象セルが登録セルとして選択される選択条件が満たされるタイミングを早める。
【００９５】
一方で、無線端末１０は、移動速度が所定移動速度よりも高く、周波数の偏移量が負の値である場合には、所定受信品質差（Ｔｉｍｅ  ｔｏ  Ｔｒｉｇｇｅｒ起動閾値）を縮小し、所定継続期間（Ｔｉｍｅ  ｔｏ  Ｔｒｉｇｇｅｒ）を延長する。すなわち、無線端末１０は、変更対象セルから高速で遠ざかっている場合には、変更対象セルが登録セルとして選択される選択条件が満たされるタイミングを遅らせる。
【００９６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９７】
上述した実施形態では、無線端末１０は、移動速度が所定移動速度よりも高い場合に、所定受信品質差（Ｔｉｍｅ  ｔｏ  Ｔｒｉｇｇｅｒ起動閾値）及び所定継続期間（Ｔｉｍｅ  ｔｏ  Ｔｒｉｇｇｅｒ）の双方を変更するが、本実施形態は、これに限定されるものではない。具体的には、無線端末１０は、移動速度が所定移動速度よりも高い場合に、所定受信品質差を変更せずに、所定継続期間を短縮してもよい。無線端末１０は、移動速度が所定移動速度よりも高い場合に、所定継続期間を変更せずに、所定受信品質差を拡大してもよい。
【００９８】
なお、無線端末１０は、移動速度が所定移動速度よりも高い場合であっても、所定受信品質差（Ｔｉｍｅ  ｔｏ  Ｔｒｉｇｇｅｒ起動閾値）及び所定継続期間（Ｔｉｍｅ  ｔｏ  Ｔｒｉｇｇｅｒ）の双方を変更しなくてもよい。すなわち、図４に示したステップ１３の処理を省略してもよい。
【００９９】
上述した実施形態では、無線端末１０は、移動速度が所定移動速度よりも高い場合に、周波数の偏移量が所定偏移量（閾値）よりも高い状態が一定期間に亘って継続していないセルを登録セルの候補セルから除外するが、本実施形態は、これに限定されるものではない。具体的には、無線端末１０は、周波数の偏移量が所定偏移量（閾値）よりも高い状態が一定期間に亘って継続していないセルを登録セルの候補セルから除外しなくてもよい。すなわち、図４に示したステップ１２の処理を省略してもよい。
【図面の簡単な説明】
【０１００】
【図１】第１実施形態に係る無線通信システムの構成を示す図である。
【図２】第１実施形態に係る無線端末１０の構成を示すブロック図である。
【図３】第１実施形態に係る制御部１５の構成を示すブロック図である。
【図４】第１実施形態に係る無線端末１０の動作を示すフロー図である。
【図５】第１実施形態に係る無線端末１０の動作を示すフロー図である。
【図６】第１実施形態に係る無線端末１０の動作を示すフロー図である。
【図７】第１実施形態に係る選択条件が満たされるタイミングについて説明するための図である。
【図８】第２実施形態に係る無線端末１０の動作を示すフロー図である。
【符号の説明】
【０１０１】
１０・・・無線端末、１１・・・受信部、１２・・・受信品質測定部、１３・・・周波数偏移量取得部、１４・・・移動速度検出部、１５・・・制御部、１６・・・送信部、２０・・・無線基地局、２１・・・エリア、１５１・・・開始条件判定部、１５２・・・継続条件判定部、１５３・・・条件変更部、１５４・・・セル選択部、１５５・・・判定部
【図１】
0005102649.tif 000002
【図２】
0005102649.tif 000003
【図３】
0005102649.tif 000004
【図４】
0005102649.tif 000005
【図５】
0005102649.tif 000006
【図６】
0005102649.tif 000007
【図７】
0005102649.tif 000008
【図８】
0005102649.tif 000009